(57)【要約】【課題】がたつきや扉開閉時の音鳴りが生じない扉自閉式蝶番を提供することである。【解決手段】固定部側の柱Ｂに取り付けられた翼板１ｂの筒部２ｂに連結軸部材としてのねじ軸３を固定し、ねじ軸３に螺合されたナット６を、扉Ａに取り付けられた翼板１ａの筒部２ａに軸方向へ移動自在に回り止めし、ねじ軸３に圧縮コイルばね７を装着して、扉Ａが開けられたときに、ナット６が圧縮コイルばね７を圧縮する方向へ移動するようにし、圧縮コイルばね７の弾性復元力で移動したナット６を押し戻して、ナット６を筒部２ａに回り止めした翼板１ａを回動させ、扉Ａが自動的に閉じるようにすることにより、扉Ａが開閉されるときの摺動部をねじ軸３とナット６の螺合部として受圧面積を広くし、摺動部での摩耗を抑制するとともに、摺動部の接触圧力も低くして、がたつきや扉開閉時の音鳴りが生じないようにした。【選択図】図１
2006161361.tif 000002
【特許請求の範囲】
【請求項１】
扉側と固定部側とに取り付けられる２つの翼板に設けられた筒部を軸方向に連ね、これらの軸方向に連ねた筒部に連結軸部材を嵌挿して、前記２つの翼板を連結軸部材の回りに相対回動可能に連結し、これらの２つの翼板が相対回動して扉が開けられたときに、扉が自動的に閉じるようにする手段を、前記軸方向に連ねた２つの翼板の筒部に組み込んだ扉自閉式蝶番において、前記２つの翼板の連結軸部材をいずれか一方の翼板の筒部に固定されるねじ軸として、このねじ軸に螺合されたナットを、他方の翼板の筒部に軸方向へ移動自在に回り止めし、前記ねじ軸に圧縮コイルばねを装着して、前記扉が開けられたときに、前記ナットがこの圧縮コイルばねを圧縮する方向へ移動するようにし、この圧縮コイルばねの弾性復元力で移動したナットを押し戻して、前記ナットを筒部に回り止めした他方の翼板を相対回動させ、前記扉が自動的に閉じるようにしたことを特徴とする扉自閉式蝶番。
【請求項２】
前記ねじ軸のリード角を３０〜６０°とした請求項１に記載の扉自閉式蝶番。
【請求項３】
前記ナットを潤滑性樹脂で形成した請求項１または２に記載の扉自閉式蝶番。
【請求項４】
前記ねじ軸を前記固定部側に取り付けられる翼板の筒部に固定し、前記ナットを前記扉側に取り付けられる翼板の筒部に回り止めした請求項１乃至３のいずれかに記載の扉自閉式蝶番。
【請求項５】
前記ねじ軸が固定される筒部を軸方向両側に配して、ねじ軸をこれらの筒部に嵌着したカラーで固定し、前記ナットを回り止めした筒部をその軸方向内側に配して、その両端部に嵌着したブッシュを筒部の両端から突出させ、前記扉の慣性重量によるアキシアル荷重が、前記軸方向内側の筒部の両端から突出するブッシュの端面を、前記軸方向両側の筒部に嵌着したカラーに当接させて支持され、前記扉の慣性重量によるラジアル荷重が、前記ねじ軸の外径面に当接されるブッシュの内径面で支持されるようにした請求項１乃至４のいずれかに記載の扉自閉式蝶番。
【発明の詳細な説明】
【技術分野】
【０００１】
本発明は、開けられた扉が自動的に閉じるようにする手段を設けた扉自閉式蝶番に関する。
【背景技術】
【０００２】
建物や機械装置等に取り付けられる扉を回動可能に固定部へ支持し、扉側と固定部側とに取り付けられる２つの翼板に設けられた筒部を軸方向に連ね、これらの軸方向に連ねた筒部に連結軸部材を嵌挿して、２つの翼板を連結軸部材の回りに相対回動可能に連結した蝶番には、開けられた扉が自動的に閉じるようにする手段を、軸方向に連ねた２つの翼板の筒部に組み込んだものがある（例えば、特許文献１参照）。この扉自閉式蝶番は、従来多く用いられているシリンダとアームを組み合わせたドアクローザのように、扉の上部等に剥き出しとされないので、余分のスペースを必要とせず、扉の見栄えもよくすることができ、かつ、ドアクローザよりも安価に製造できる利点がある。
【０００３】
特許文献１に記載された扉自閉式蝶番は、一方の翼板の筒部に軸方向に移動自在で且つ相対回転不能に内嵌され、他方の翼板の筒部側の端面に所定角度の範囲に亙る傾斜案内面が形成された第１係合部材と、他方の翼板の筒部に軸方向に移動自在で且つ相対回転不能に内嵌され、前記傾斜案内面に沿って摺動可能な係合部が形成された第２係合部材とに、連結軸部材としての連結ピンを貫通させ、第１係合部材と第２係合部材のうちの一方を他方の係合部材側へ弾性部材で付勢することによって、扉が自動的に閉じるようにしている。
【０００４】
【特許文献１】実開平６−８２３６０号公報
【発明の開示】
【発明が解決しようとする課題】
【０００５】
特許文献１に記載された扉自閉式蝶番は、扉が開閉されるときに、第１係合部材の傾斜案内面と第２係合部材の係合部とを狭い受圧面積で摺動させるようにしているので、これらの摺動部での摩耗の進行が早く、摩耗に伴うがたつきが生じやすい問題がある。また、摺動部の接触圧力も高くなるので、扉開閉時の音鳴りも生じやすい。
【０００６】
そこで、本発明の課題は、がたつきや扉開閉時の音鳴りが生じない扉自閉式蝶番を提供することである。
【課題を解決するための手段】
【０００７】
上記の課題を解決するために、本発明は、扉側と固定部側とに取り付けられる２つの翼板に設けられた筒部を軸方向に連ね、これらの軸方向に連ねた筒部に連結軸部材を嵌挿して、前記２つの翼板を連結軸部材の回りに相対回動可能に連結し、これらの２つの翼板が相対回動して扉が開けられたときに、扉が自動的に閉じるようにする手段を、前記軸方向に連ねた２つの翼板の筒部に組み込んだ扉自閉式蝶番において、前記２つの翼板の連結軸部材をいずれか一方の翼板の筒部に固定されるねじ軸として、このねじ軸に螺合されたナットを、他方の翼板の筒部に軸方向へ移動自在に回り止めし、前記ねじ軸に圧縮コイルばねを装着して、前記扉が開けられたときに、前記ナットがこの圧縮コイルばねを圧縮する方向へ移動するようにし、この圧縮コイルばねの弾性復元力で移動したナットを押し戻して、前記ナットを筒部に回り止めした他方の翼板を相対回動させ、前記扉が自動的に閉じるようにした構成を採用した。
【０００８】
すなわち、２つの翼板の連結軸部材をいずれか一方の翼板の筒部に固定されるねじ軸として、このねじ軸に螺合されたナットを、他方の翼板の筒部に軸方向へ移動自在に回り止めし、ねじ軸に圧縮コイルばねを装着して、扉が開けられたときに、ナットがこの圧縮コイルばねを圧縮する方向へ移動するようにし、この圧縮コイルばねの弾性復元力で移動したナットを押し戻して、ナットを筒部に回り止めした他方の翼板を相対回動させ、扉が自動的に閉じるようにすることにより、扉が開閉されるときの摺動部をねじ軸とナットの螺合部として受圧面積を広くし、摺動部での摩耗を抑制するとともに、摺動部の接触圧力も低くして、がたつきや扉開閉時の音鳴りが生じないようにした。
【０００９】
前記ねじ軸のリード角を３０〜６０°とすることにより、２つの翼板の相対回動に伴ってナットをねじ軸上で双方向へスムーズに移動させることができ、かつ、その移動量を大きくして、圧縮コイルばねの圧縮量と弾性復元力を大きくすることもできる。
【００１０】
前記ナットを潤滑性樹脂で形成することにより、ねじ軸への給油を省略して、ナットをねじ軸上でスムーズに移動させことができる。
【００１１】
前記ねじ軸を前記固定部側に取り付けられる翼板の筒部に固定し、前記ナットを前記扉側に取り付けられる翼板の筒部に回り止めすることにより、ねじ軸を固定軸として回動する扉側の翼板を軽量にし、扉をより軽快に開閉させることができる。
【００１２】
前記ねじ軸が固定される筒部を軸方向両側に配して、ねじ軸をこれらの筒部に嵌着したカラーで固定し、前記ナットを回り止めした筒部をその軸方向内側に配して、その両端部に嵌着したブッシュを筒部の両端から突出させ、前記扉の慣性重量によるアキシアル荷重が、前記軸方向内側の筒部の両端から突出するブッシュの端面を、前記軸方向両側の筒部に嵌着したカラーに当接させて支持され、前記扉の慣性重量によるラジアル荷重が、前記ねじ軸の外径面に当接されるブッシュの内径面で支持されるようにすることにより、扉の慣性重量を安定して支持することができる。
【発明の効果】
【００１３】
本発明の扉自閉式蝶番は、２つの翼板の連結軸部材をいずれか一方の翼板の筒部に固定されるねじ軸として、このねじ軸に螺合されたナットを、他方の翼板の筒部に軸方向へ移動自在に回り止めし、ねじ軸に圧縮コイルばねを装着して、扉が開けられたときに、ナットがこの圧縮コイルばねを圧縮する方向へ移動するようにし、この圧縮コイルばねの弾性復元力で移動したナットを押し戻して、ナットを筒部に回り止めした他方の翼板を相対回動させ、扉が自動的に閉じるようにすることにより、扉が開閉されるときの摺動部をねじ軸とナットの螺合部として受圧面積を広くしたので、摺動部での摩耗を抑制できるとともに、摺動部の接触圧力も低くすることができ、がたつきや扉開閉時の音鳴りが生じないようにすることができる。
【００１４】
前記ねじ軸のリード角を３０〜６０°とすることにより、２つの翼板の相対回動に伴ってナットをねじ軸上で双方向へスムーズに移動させることができ、かつ、その移動量を大きくして、圧縮コイルばねの圧縮量と弾性復元力を大きくすることもできる。
【００１５】
前記ナットを潤滑性樹脂で形成することにより、ねじ軸への給油を省略して、ナットをねじ軸上でスムーズに移動させことができる。
【００１６】
前記ねじ軸を固定部側に取り付けられる翼板の筒部に固定し、ナットを扉側に取り付けられる翼板の筒部に回り止めすることにより、ねじ軸を固定軸として回動する扉側の翼板を軽量にし、扉をより軽快に開閉させることができる。
【００１７】
前記ねじ軸が固定される筒部を軸方向両側に配して、ねじ軸をこれらの筒部に嵌着したカラーで固定し、ナットを回り止めした筒部をその軸方向内側に配して、その両端部に嵌着したブッシュを筒部の両端から突出させ、扉の慣性重量によるアキシアル荷重が、軸方向内側の筒部の両端から突出するブッシュの端面を、軸方向両側の筒部に嵌着したカラーに当接させて支持され、扉の慣性重量によるラジアル荷重が、ねじ軸の外径面に当接されるブッシュの内径面で支持されるようにすることにより、扉の慣性重量を安定して支持することができる。
【発明を実施するための最良の形態】
【００１８】
以下、図面に基づき、本発明の実施形態を説明する。この扉自閉式蝶番は、図１（ａ）、（ｂ）に示すように、各蝶番は、扉Ａに取り付けられた翼板１ａの筒部２ａと、固定部側の柱Ｂに取り付けられた翼板１ｂの筒部２ｂとを軸方向に連ね、これらの筒部２ａ、２ｂに連結軸部材としてのねじ軸３を嵌挿して、２つの翼板１ａ、１ｂをねじ軸３の回りに相対回動可能に連結したものである。
【００１９】
前記柱Ｂに取り付けられた翼板１ｂの筒部２ｂは軸方向の上下両側に配され、ねじ軸３は筒部２ｂに嵌着されたカラー４で固定されている。扉Ａに取り付けられた翼板１ａの筒部２ａは筒部２ｂの軸方向内側に配され、両端部にブッシュ５が嵌着されており、これらのブッシュ５の内側でねじ軸３に螺合されたナット６が軸方向へ移動自在に回り止めされるとともに、上側のブッシュ５とナット６の間で圧縮コイルばね７がねじ軸３に装着されている。
【００２０】
前記ねじ軸３のリード角は３０〜６０°とされている。したがって、扉Ａの開閉による翼板１ａの回動に伴って、その筒部２ａと一緒にナット６がねじ軸３の回りに回転するときに、ナット６が軸方向の双方向へスムーズに移動するとともに、その移動量を大きくして、後述するように、圧縮コイルばね７の圧縮量と弾性復元力を大きくすることができる。また、ナット６は潤滑性樹脂で形成され、ねじ軸３への給油を省略しても、軸方向へスムーズに移動するようになっている。
【００２１】
前記上下のブッシュ５の外側端面は筒部２ａの両端から突出し、それぞれ上下のカラー４に当接されて、扉Ａの慣性重量によるアキシアル荷重を支持するようになっている。また、各ブッシュ５の内径面はねじ軸３の外径面に当接され、扉Ａの慣性重量によるラジアル荷重を支持するようになっている。
【００２２】
図２（ａ）、（ｂ）に示すように、扉Ａが開けられると、翼板１ａの筒部２ａと一緒にねじ軸３の回りに回転するナット６は上方へ移動し、圧縮コイルばね７を上側のブッシュ５との間で圧縮する。したがって、開けられた扉Ａを放すと、ナット６は圧縮コイルばね７の弾性復元力で下方へ押し戻され、このとき、翼板１ａの筒部２ａがナット６と一緒にねじ軸３の回りに逆方向へ回転し、図１（ａ）、（ｂ）に示したように、翼板１ａが扉Ａを閉じる方向に回動して、扉Ａが自動的に閉じる。
【００２３】
上述した実施形態では、ねじ軸を固定部側に取り付けられる翼板の筒部に固定し、この筒部を扉側に取り付けられる翼板の筒部の両側に配したが、ねじ軸は扉側に取り付けられる翼板の筒部に固定することもできる。また、両翼板の筒部の配し方は実施形態のものに限定されることはなく、例えば、両翼板の筒部を１つずつとしてこれらを上下に配することもできる。
【図面の簡単な説明】
【００２４】
【図１】ａは扉自閉式蝶番の実施形態を示す平面図、ｂはａの縦断正面図
【図２】ａは図１（ａ）の扉を開けた状態を示す平面図、ｂはａの縦断正面図
【符号の説明】
【００２５】
１ａ、１ｂ  翼板
２ａ、２ｂ  筒部
３  ねじ軸
４  カラー
５  ブッシュ
６  ナット
７  圧縮コイルばね
【図１】
2006161361.tif 000003
【図２】
2006161361.tif 000004